(57)【特許請求の範囲】
【請求項１】
複数の通帳を収納するための通帳収納装置であって、
前記複数の通帳を、それぞれ開いた状態で互いに重ねて収納するための収納庫と、
第１の通帳を、開いた状態で、前記収納庫に既に収納されている第２の通帳に重なる位置に搬送する通帳搬送部と、
前記第１の通帳の先端部を、前記第２の通帳が開いたときに形成される前記第２の通帳の突状部に向かう方向とは異なる方向で、前記第２の通帳の先端部の上に配置するように搬送するための案内部と、
を備え、
前記案内部は、前記通帳搬送部に対して突出させた山型形状を形成し、前記収納庫よりも前記第１の通帳の搬送方向において上流側に配置され、
前記通帳搬送部は、第１のアーム部と第２のアーム部とを有し、
前記第２の通帳は、前記第２のアーム部によって前記第２の通帳の先端部を押さえ付けられ、前記第１のアーム部によって前記第２の通帳の後端部を前記山型形状の側面に沿って押さえ付けられて収納され、
前記第１の通帳は、前記案内部に接触して前記第２の通帳の上に重なって配置され、前記第２のアーム部によって前記第１の通帳の先端部を押さえ付けられ、前記第１のアーム部によって前記第１の通帳の後端部を押さえ付けられて収納される、
ことを特徴とする通帳収納装置。
【請求項２】
請求項１に記載の通帳収納装置において、さらに、
前記案内部の前記内側面からの突出方向の長さを調整する長さ調整部を備える、通帳収納装置。
【請求項３】
請求項２に記載の通帳収納装置において、
前記長さ調整部は、前記通帳搬送部が前記第１の通帳を搬送する場合に前記案内部の前記長さを大きくし、前記通帳搬送部が前記第１の通帳を搬送しない場合に前記案内部の前記長さを小さくする、通帳収納装置。
【請求項４】
請求項１ないし請求項３のいずれかに記載の通帳収納装置において、さらに、
前記案内部を、前記第１の通帳の搬送方向に沿った方向に変位させる位置調整部を備える、通帳収納装置。
【請求項５】
請求項１ないし請求項４のいずれかに記載の通帳収納装置において、
前記突状部は、前記第２の通帳の印字面側において複数ページが積層することにより形成された段差である、通帳収納装置。
【請求項６】
請求項１ないし請求項５のいずれかに記載の通帳収納装置を備える、現金自動預け払い機。
【発明の詳細な説明】
【技術分野】
【０００１】
本発明は、現金自動預け払い機等において通帳を収納する技術に関する。
【背景技術】
【０００２】
現金自動預け払い機（ＡＴＭ：Automated Teller Machine）として、利用者が取り忘れた通帳を回収する通帳回収部を備える現金自動預け払い機が知られている（特許文献１）。通帳回収部は、回収ボックスを備えており、取り忘れた通帳を開いたまま回収ボックスまで搬送し、回収ボックス内に落下させて通帳を堆積させて収納する。
【先行技術文献】
【特許文献】
【０００３】
【特許文献１】特開２００９−８１８号公報
【発明の概要】
【発明が解決しようとする課題】
【０００４】
従来の技術では、取り忘れられた通帳は、回収ボックス内にランダムに堆積されるため、多数の通帳を収納するためには回収ボックスの高さ方向の寸法を長くせねばならず、通帳回収部の小型化が困難であった。そこで、回収ボックス内において、取り忘れられた複数の通帳を、互いに綴じ目の位置を合わせて重ねて収納する構成が考えられる。この構成では、例えば、新たに回収された通帳を、収納済みの通帳と平行になるように搬送して、収納済みの通帳の上に重ねて収納する構成が考えられる。しかしながら、この構成においては、搬送される通帳の先端部が、収納済みの通帳の綴じ目に形成された表紙の折り目（段差）や、複数のページが重なって形成された段差に当たってしまい、回収ボックス内への通帳の収納異常が発生するおそれがあった。
【０００５】
なお、上記問題は、取り忘れられた通帳を回収する機構に限らず、通帳を収納する収納庫を備える任意の通帳収納装置において発生し得る。
【０００６】
本発明は、通帳収納装置の小型化を実現すると共に、通帳収納装置において、既に収納されている通帳への衝突による通帳の収納異常の発生を抑制することを目的とする。
【課題を解決するための手段】
【０００７】
本発明は、上述の課題の少なくとも一部を解決するためになされたものであり、以下の形態又は適用例として実現することが可能である。
[形態１]複数の通帳を収納するための通帳収納装置であって、前記複数の通帳を、それぞれ開いた状態で互いに重ねて収納するための収納庫と、第１の通帳を、開いた状態で、前記収納庫に既に収納されている第２の通帳に重なる位置に搬送する通帳搬送部と、前記第１の通帳の先端部を、前記第２の通帳が開いたときに形成される前記第２の通帳の突状部に向かう方向とは異なる方向で、前記第２の通帳の先端部の上に配置するように搬送するための案内部と、備え、前記案内部は、前記通帳搬送部に対して突出させた山型形状を形成し、前記収納庫よりも前記第１の通帳の搬送方向において上流側に配置され、前記通帳搬送部は、第１のアーム部と第２のアーム部とを有し、前記第２の通帳は、前記第２のアーム部によって前記第２の通帳の先端部を押さえ付けられ、前記第１のアーム部によって前記第２の通帳の後端部を前記山型形状の側面に沿って押さえ付けられて収納され、前記第１の通帳は、前記案内部に接触して前記第２の通帳の上に重なって配置され、前記第２のアーム部によって前記第１の通帳の先端部を押さえ付けられ、前記第１のアーム部によって前記第１の通帳の後端部を押さえ付けられて収納される、ことを特徴とする通帳収納装置。
【０００８】
［適用例１］複数の通帳を収納するための通帳収納装置であって、前記複数の通帳を、それぞれ開いた状態で互いに重ねて収納するための収納庫と、第１の通帳を、開いた状態で、前記収納庫に既に収納されている第２の通帳に重なる位置に搬送する通帳搬送部と、前記収納庫の内部に配置され、前記収納庫の内部を搬送される前記第１の通帳の搬送方向を、前記第２の通帳が開いたときに形成される前記第２の通帳の突状部に向かう方向とは異なる方向である異方向に導くための案内部と、を備える、通帳収納装置。
【０００９】
適用例１の通帳収納装置では、案内部を用いて、収納庫内を搬送される第１の通帳の搬送方向を、既に収納されている第２の通帳の突状部に向かう方向とは異なる方向に導くので、第１の通帳が第２の通帳の突状部に衝突することによる第１の通帳の収納異常の発生を抑制することができる。また、複数の通帳を、収納庫において、それぞれ開いた状態で互いに重ねて収納するので、通帳の積層方向における収納庫の寸法を短くすることができ、通帳収納装置の小型化を実現することができる。
【００１０】
［適用例２］適用例１に記載の通帳収納装置において、前記収納庫は、前記第２の通帳の少なくとも一部を収納する収納部を備え、前記案内部は、前記収納庫の内側面から突出し、前記収納部よりも前記第１の通帳の搬送方向において上流側に配置されている、通帳収納装置。
【００１１】
このような構成により、第１の通帳を、案内部の表面や、案内部の表面に配置された第２の通帳に接触させることにより、第１の通帳の搬送方向を制御することができる。
【００１２】
［適用例３］適用例１または適用例２に記載の通帳収納装置において、前記通帳搬送部は、前記第１の通帳と接触することにより、前記収納庫の内部を搬送される前記第１の通帳の姿勢を開いた状態に維持させるアーム部を有する、通帳収納装置。
【００１３】
このような構成により、第１の通帳の搬送途中において、第１の通帳が閉じてしまうことによる第１の通帳の収納異常の発生を抑制することができる。
【００１４】
［適用例４］適用例３に記載の通帳収納装置において、前記アーム部は、前記第２の通帳と接触することにより、前記第２の通帳の一部を前記案内部の表面に沿って位置させ、前記第１の通帳は、前記案内部の表面に沿って配置された前記第２の通帳の一部と接触することにより、前記異方向に搬送される、通帳収納装置。
【００１５】
このような構成により、第２の通帳の一部が案内部の表面から離れて配置されることにより、第１の通帳が案内部と第２の通帳との間に入り込んでしまい、第１の通帳の収納異常が発生してしまうことを抑制できる。
【００１６】
［適用例５］適用例２ないし適用例４のいずれかに記載の通帳収納装置において、さらに、前記案内部の前記内側面からの突出方向の長さを調整する長さ調整部を備える、通帳収納装置。
【００１７】
このような構成により、第１の通帳の搬送が実行される前において、案内部の内側面からの突出方向の長さを小さくし、第１の通帳が搬送される際に、案内部の内側面からの突出方向の長さを大きくすることができる。また、既に収納されている第２の通帳に加えて、任意の数の通帳が既に収納されている場合においても、案内部の内側面からの突出方向の長さを調整することにより、第１の通帳が、既に収納されている通帳に形成された段差に衝突することを抑制できる。
【００１８】
［適用例６］適用例５に記載の通帳収納装置において、前記長さ調整部は、前記通帳搬送部が前記第１の通帳を搬送する場合に前記案内部の前記長さを大きくし、前記通帳搬送部が前記第１の通帳を搬送しない場合に前記案内部の前記長さを小さくする、通帳収納装置。
【００１９】
このような構成により、通帳搬送部が第１の通帳を搬送する場合、すなわち、第１の通帳の収納が実行される際に、案内部の長さが大きくなるので、案内部を用いて第１の通帳の収納異常の発生を抑制することができる。また、通帳搬送部が第１の通帳を搬送しない場合、例えば、第１の通帳の収納が実行される前や、第１の通帳の収納が完了した後において、案内部の長さが小さくなるので、既に収納されている第１及び第２の通帳の一部が、案内部により曲げられて損傷してしまうことを抑制できる。
【００２０】
［適用例７］適用例１ないし適用例６のいずれかに記載の通帳収納装置において、さらに、前記案内部を、前記第１の通帳の搬送方向に沿った方向に変位させる位置調整部を備える、通帳収納装置。
【００２１】
このような構成により、第１及び第２の通帳のサイズに応じて、案内部の位置を、収納庫内における第１の通帳の搬送方向に沿った方向に変位させることができる。したがって、例えば、第１の通帳のサイズに関わらず、第１の通帳を案内部に確実に接触させることができる。また、通帳収納装置がアーム部を備える構成においては、第２の通帳のサイズに関わらず、アーム部を、既に収納されている第２の通帳の一部と確実に接触させることができ、第２の通帳の一部を案内部の表面に沿って確実に配置させることができる。
【００２２】
［適用例８］適用例１ないし適用例７のいずれかに記載の通帳収納装置において、前記突状部は、前記第２の通帳の印字面側において複数ページが積層することにより形成された段差である、通帳収納装置。
【００２３】
このような構成により、複数の通帳を、それぞれ印字面を上向きにして順次積層して収納する構成において、第２の通帳の印字面において複数ページが積層することにより形成された段差に、第１の通帳が衝突してしまい、第１の通帳の収納異常が発生してしまうことを抑制できる。
【００２４】
［適用例９］適用例１ないし適用例８のいずれかに記載の通帳収納装置を備える、現金自動預け払い機。
【００２５】
このような構成により、現金自動預け払い機において、通帳の収納異常の発生を抑制することができる。
【図面の簡単な説明】
【００２６】
【図１】本発明の通帳収納装置を適用した現金自動預け払い機の外観構成を示す斜視図である。
【図２】図１に示す通帳処理部１００の詳細構成を示す断面図である。
【図３】図２に示す通帳収納装置１０の詳細構成を示す断面図である。
【図４】通帳処理部１００において処理される通帳の外観構成を示す斜視図である。
【図５】図４に示す通帳８０の側面を模式的に示す側面図である。
【図６】通帳収納装置１０における通帳収納動作を示す第１の説明図である。
【図７】通帳収納装置１０における通帳収納動作を示す第２の説明図である。
【図８】通帳収納装置１０における通帳収納動作を示す第３の説明図である。
【図９】通帳収納装置１０における通帳収納動作を示す第４の説明図である。
【図１０】通帳収納装置１０における通帳収納動作を示す第５の説明図である。
【図１１】通帳収納装置１０における通帳収納動作を示す第６の説明図である。
【図１２】通帳収納装置１０における通帳収納動作を示す第７の説明図である。
【図１３】通帳収納装置１０における通帳収納動作を示す第８の説明図である。
【図１４】第１の比較例の通帳収納装置を模式的に示す断面図である。
【図１５】第２の比較例の通帳収納装置を模式的に示す断面図である。
【図１６】第２の実施例の通帳収納装置の詳細構成を示す断面図である。
【図１７】第３の実施例の通帳収納装置の詳細構成を示す断面図である。
【発明を実施するための形態】
【００２７】
Ａ．第１の実施例：
Ａ１．装置構成：
図１は、本発明の通帳収納装置を適用した現金自動預け払い機（ＡＴＭ：Automated Teller Machine）の外観構成を示す斜視図である。この現金自動預け払い機２００は、銀行やコンビニエンスストアなどに設置され、利用者の操作に応じて入出金処理等を行うための装置である。現金自動預け払い機２００は、筐体の前面部２１０に、通帳挿入口２０と、カード挿入口２２０と、硬貨投入口２３０と、利用者操作部２４０とを備えている。また、現金自動預け払い機２００は、通帳処理部１００を内蔵している。
【００２８】
通帳挿入口２０は、通帳処理部１００の一部を構成し、利用者による通帳の挿入を受け付ける、また、印字後の通帳を排出する。カード挿入口２２０は、利用者による磁気ストライプカード（いわゆるキャッシュカード）の挿入を受け付ける、また、処理後の磁気ストライプカードを排出する。硬貨投入口２３０は、図示しない受け皿を内部に有し、この受け皿を利用して、利用者が投入した硬貨を受け入れ、また、利用者に硬貨を払い戻す。利用者による硬貨の投入を受け付ける、また、利用者に払い戻す硬貨を収納する。利用者操作部２４０は、利用者への入出金取引等のためのメニュー表示や、利用者による操作入力の受付を行う。利用者操作部２４０は、タッチパネルや、ディスプレイと入力用スイッチ（ボタンキー）との組み合わせにより構成することができる。通帳処理部１００は、通帳挿入口２０から挿入された通帳に口座残高や取引履歴を印字して排出する処理の他、新たな通帳を発行する処理を実行する。
【００２９】
図２は、図１に示す通帳処理部１００の詳細構成を示す断面図である。通帳処理部１００は、前述の通帳挿入口２０に加えて、第１搬送路４１と、第２搬送路４２と、第３搬送路４３と、ゲート２４と、８つの搬送ローラー２１ａ〜２１ｈと、磁気データ読み書き部２２と、印字部２３と、光学読み取り部２５と、頁替え部２６と、通帳発行部３０と、ピックアップローラー２７と、通帳収納装置１０と、を備えている。
【００３０】
第１搬送路４１は、通帳挿入口２０から挿入された通帳８０の主たる搬送ルートであり、通帳挿入口２０とゲート２４との間の通帳の搬送路である。第２搬送路４２は、ゲート２４と通帳発行部３０との間の通帳の搬送路である。第３搬送路４３は、ゲート２４と通帳収納装置１０との間の通帳の搬送路である。２つの搬送路４１，４２は、いずれも水平方向に延びて構成されている。第３搬送路４３は、ゲート２４から収納庫１８に向かって斜め下方に延びて構成されている。ゲート２４は、第１搬送路４１の接続先を、第２搬送路４２または第３搬送路４３に切り替える。ゲート２４は通常の状態（後述する通帳回収処理を実行する場合を除く状態）において、第１搬送路４１と第２搬送路４２とを接続する。４つの搬送ローラー２１ａ〜２１ｄは、第１搬送路４１に配置され、３つの搬送ローラー２１ｅ〜２１ｇは、第２搬送路４２に配置され、搬送ローラー２１ｈは、第３搬送路４３に配置されている。これら８つの搬送ローラー２１ａ〜２１ｈは、いずれも図示しない駆動モーターにより回転駆動される。
【００３１】
磁気データ読み書き部２２は、通帳の表紙面に配置されている磁気ストライプに記録されている情報（書き込み済みページ番号や新規通帳の発行の有無等）を読み出し、また、この磁気ストライプに対して情報を書き込む。印字部２３は、通帳８０の所定のページ及び所定の行に印字を行う。光学読み取り部２５は、通帳におけるページ情報を示すバーコードや印字済み行を光学的に読み取る。頁替え部２６は、印字すべき所定のページが開かれるようにページ捲りを行う。通帳発行部３０は、新規な通帳群８０ｚを保管しており、図示しない制御部からの指示に従い、新規な通帳を発行する。このとき、ピックアップローラー２７は、通帳群８０ｚから１冊だけ通帳を第２搬送路４２に排出する。通帳処理部１００では、利用者が通帳挿入口２０から排出された通帳を取り忘れた場合に、取り忘れられた通帳を回収する。通帳収納装置１０は、回収された通帳を収納する。
【００３２】
図３は、図２に示す通帳収納装置１０の詳細構成を示す断面図である。通帳収納装置１０は、収納庫１８と、第１アーム部１２ａと、第２アーム部１２ｂと、落とし込みローラー１４と、案内部１１と、収納部Ｓｍとを備えている。
【００３３】
収納庫１８は、第２搬送路４２と接続されており、回収された通帳を、開いた状態で収納する。収納庫１８は、複数の通帳を収納する場合に、垂直方向から見た各通帳の綴じ目の位置が一致するように重ねて収納するための構成を備えている。
【００３４】
２つのアーム部１２ａ，１２ｂは、収納庫１８内に並んで配置されており、収納庫１８内を搬送される通帳の姿勢を、開いた状態に維持する。２つのアーム部１２ａ，１２ｂは、それぞれ先端が屈曲した外観構成を有している。第１アーム部１２ａは、軸１３ａを介して収納庫１８と接続されており、軸１３ａを中心として回動可能に配置されている。同様に、第２アーム部１２ｂは、軸１３ｂを介して収納庫１８と接続されており、軸１３ｂを中心として回動可能に配置されている。なお、図３の例では、第１アーム部１２ａの先端は案内部１１に接しており、第１アーム部１２ａは、案内部１１よりも上方への回動は可能であるが、下方への回動は不可能となるように構成されている。落とし込みローラー１４は、収納庫１８と第２搬送路４２との接続位置付近に配置されている。落とし込みローラー１４は、図示しない駆動モーターにより駆動され、第２搬送路４２を搬送されてきた通帳を収納庫１８の内部に引き込む（落とし込む）と共に、収納庫１８内を搬送する。
【００３５】
案内部１１は、収納庫１８の内部の底面Ｓ１に固定して配置されている。案内部１１は、後述する収納部Ｓｍよりも、収納庫１８の内部における通帳の搬送方向において上流側に位置する。案内部１１の断面形状（収納庫１８内を搬送される通帳の搬送方向と垂直な方向から見た断面形状）は、底面Ｓ１から突出した山型形状である。案内部１１は、斜面ＳＬを有し、図３の例では、この斜面ＳＬにおいて第１アーム部１２ａの先端と接している。案内部１１は、収納庫１８内を搬送される通帳の搬送方向を所定の方向に導く。なお、案内部１１は、例えば、ＳＵＳ（ステンレススチール）などの金属板や、合成樹脂の板や、木製の板等により構成することができる。
【００３６】
収納部Ｓｍは、収納庫１８内において、案内部１１を挟んで第２搬送路４２とは反対側に配置され、通帳の一部を収納する。なお、後述するように、通帳の他の部分は、案内部１１の表面（斜面ＳＬ）に沿って配置される。
【００３７】
上述した通帳処理部１００の各機能部は、現金自動預け払い機２００が備える図示しない制御部により制御され、通帳の搬送や、通帳への印字、新規通帳の発行や、取り忘れられた通帳の回収等の各処理を実行する。
【００３８】
図４は、通帳処理部１００において処理される通帳の外観構成を示す斜視図である。図４では、綴じ目８２において開いた状態の通帳８０を表わしている。通帳８０が開いた際に露呈する面（以下、「印字面」と呼ぶ）Ｓｂには、口座残高や取引履歴等が記録される。印字面Ｓｂとは反対の面（以下、「表紙面」と呼ぶ）Ｓａには、磁気ストライプ８３が配置されている。
【００３９】
図５は、図４に示す通帳８０の側面を模式的に示す側面図である。図５に示すように、通帳８０の表紙面Ｓａには、綴じ目８２を中心とする山状の部分（以下、「背山」と呼ぶ）８１が形成されている。背山８１は、通帳８０が開かれたときに形成される。また、通帳８０の印字面Ｓｂには、複数のページが積層されて形成された段差（以下、「通帳段差」と呼ぶ）ｇが形成されている。通帳段差ｇは、背山８１と同様に、通帳８０が開いたときに形成される。なお、図５の例では、通帳８０において左右のページ数に偏りがあるが、これは、例えば、最初のページを印字する場合などに起こり得る。
【００４０】
なお、落とし込みローラー１４及び２つのアーム部１２ａ，１２ｂは、請求項における通帳搬送部に相当する。また、背山８１は、請求項における突状部に相当する。
【００４１】
Ａ２．新規通帳発行処理：
図２に示すように、通帳挿入口２０から通帳８０が挿入されると、搬送ローラー２１ａ，２１ｂは、挿入された通帳８０を、第１搬送路４１に沿って磁気データ読み書き部２２に搬送する。磁気データ読み書き部２２は、通帳８０の磁気ストライプ８３に記録されている情報（利用者名や、印字最終ページ等の情報）を読み取る。３つの搬送ローラー２１ｃ〜２１ｅは、通帳８０を光学読み取り部２５に搬送し、光学読み取り部２５は、通帳のページ情報を読み取ると共に最終印字行を検知する。仮に、印字すべきページとは異なるページが開かれている場合には、搬送ローラー２１ｅは、通帳８０を頁替え部２６に搬送し、頁替え部２６は、印字すべき所定のページが開かれるように、ページ捲りを行う。印字すべきページ及び行が確定すると、２つの搬送ローラー２１ｅ，２１ｄは逆回転駆動され、通帳８０は、印字部２３に搬送される。印字部２３は、図示しない制御部からの指示に従い、口座残高や取引履歴を通帳８０に印字する。その後、３つの搬送ローラー２１ａ〜２１ｃは逆回転駆動され、印字された後の通帳８０は、通帳挿入口２０から排出される。
【００４２】
ここで、通帳８０のすべてのページに印字されて、更に未印字の情報が存在する場合には、新規通帳の発行処理が実行される。具体的には、以下の処理が行われる。まず、磁気データ読み書き部２２は、利用者により挿入された通帳（古い通帳）の磁気ストライプ８３に全ページ印字完了を示す情報、及び新規通帳発行完了を示す情報を記録する。３つの搬送ローラー２１ａ〜２１ｃは、古い通帳８０を通帳挿入口２０から排出する。ピックアップローラー２７は、通帳群８０ｚから１冊の新規通帳を第２搬送路４２に繰り出し、２つの搬送ローラー２１ｆ，２１ｇは、新規通帳を光学読み取り部２５に搬送する。光学読み取り部２５は、新規通帳の印字可能な最初のページが開かれているか否かを判断する。最初のページが開かれている場合には、２つの搬送ローラー２１ｄ，２１ｅは、新規通帳を印字部２３に搬送する。一方、最初のページが開かれていない場合には、頁替え部２６はページを捲って最初のページを開き、２つの搬送ローラー２１ｄ，２１ｅは新規通帳を印字部２３に搬送する。印字部２３は未印字の情報を印字し、３つの搬送ローラー２１ａ〜２１ｃは、新規通帳を通帳挿入口２０から排出する。このとき、図１に示す利用者操作部２４０は、新規通帳発行の旨を表示すると共に、現金自動預け払い機２００が備える図示しないスピーカーから音声により新規通帳の取り忘れを注意する旨のアナウンスが流れる。
【００４３】
Ａ３．通帳回収処理：
上述したように新規に発行された通帳が通帳挿入口２０から排出された後、所定期間経過後においてもなお、通帳挿入口２０に新規通帳が存在する場合には、利用者が新規通帳を取り忘れたものとして、新規通帳の回収処理が実行される。
【００４４】
まず、ゲート２４は、第１搬送路４１と第３搬送路４３とを接続させる。５つの搬送ローラー２１ａ〜２１ｄ，２１ｈは、取り忘れられた新規通帳を、通帳挿入口２０から第１搬送路４１及び第３搬送路４３を介して通帳収納装置１０に搬送する。通帳収納装置１０は、取り忘れた通帳を収納庫１８の内部に収納する。
【００４５】
図６は、通帳収納装置１０における通帳収納動作を示す第１の説明図である。また、図７〜図１３は、通帳収納装置１０における通帳収納動作を示す第２〜８の説明図である。図６〜図１３は、この順序で時系列に沿った順序に並んでいる。なお、図６〜１３は、いずれも図２と同様に通帳収納装置１０を側面から見た図である。
【００４６】
図６に示すように、取り忘れられた新規通帳（以下、説明の便宜上「第１通帳」と呼ぶ）８０ａが、第２搬送路４２を搬送されてくると、落とし込みローラー１４は、第１通帳８０ａを収納庫１８の内部に搬送する（落とし込む）。このときの第１通帳８０ａの搬送方向ｄ０は、案内部１１に向かう方向となっている。なお、図６の例では、第１通帳８０ａの先端部ｔ１は、第１アーム部１２ａに接触している。
【００４７】
図７に示すように、第１通帳８０ａがさらに搬送されると、第１アーム部１２ａは、第１通帳８０ａに押されて上方に回転することにより第１通帳８０ａの搬送方向の変化を抑制する。また、このとき、第１アーム部１２ａは、第１通帳８０ａの開いたページを押さえ付け、第１通帳８０ａの姿勢を、綴じ目から開いた状態を維持させる。図７に示すように、第１通帳８０ａの先端部ｔ１は、案内部１１に接触し、第１通帳８０ａの先端部分８４は湾曲する。このとき、第１通帳８０ａの搬送方向は、先端部ｔ１が案内部１１に接触したことにより、図６に示す第２搬送路４２から案内部１１に向かう方向ｄ０から、略水平な方向ｄ１に変化する。
【００４８】
図８に示すように、第１通帳８０ａがさらに搬送されると、第１通帳８０ａは案内部１１の斜面ＳＬに沿って搬送され、案内部１１の一部が頂部分を越える。図８の例では、第１通帳８０ａの背山８１が案内部１１の頂部分を越え、第１通帳８０ａの先端部ｔ１が第２アーム部１２ｂに接触している。第２アーム部１２ｂは、通帳８０の先端部ｔ１と接触すると、上方に回転移動する。図８の例では、第１通帳８０ａは落とし込みローラー１４から離れ、第１アーム部１２ａは下方に回転する。第１通帳８０ａは、落とし込みローラー１４から離れるため、それまでの搬送の勢いと自重とにより、さらに斜め下方に搬送される（落下する）。
【００４９】
図９に示すように、第１通帳８０ａの一部が収納部Ｓｍに配置されると、第１通帳８０ａの搬送は終了し、第１通帳８０ａの収納は完了する。このとき、先端部ｔ１側のページは、第２アーム部１２ｂにより押さえ付けられる。一方、後端部ｔ１１側のページは、案内部１１の頂を挟んで斜面ＳＬの表面に沿って配置され、第１アーム部１２ａによって押さえ付けられる。
【００５０】
図１０に示すように、第１通帳８０ａが既に収納されている状態において、新たな通帳（以下、便宜上「第２通帳」と呼ぶ）８０ｂが、第２搬送路４２を搬送されてくると、落とし込みローラー１４は、先ほどの第１通帳８０ａと同様に、第２通帳８０ｂを収納庫１８の内部に搬送する。図１０の例では、第２通帳８０ｂの先端部ｔ２は、第１アーム部１２ａに接触している。
【００５１】
なお、この新たに収納されるべき第２通帳８０ｂは、請求項における第１の通帳に相当する。また、既に収納されている第１通帳８０ａは、請求項における第２の通帳に相当する。
【００５２】
図１１に示すように、第２通帳８０ｂがさらに搬送されると、第２通帳８０ｂの先端部ｔ２は、斜面ＳＬ上に収納されている第１通帳８０ａに接触し、第２通帳８０ｂの搬送方向は方向ｄ１に変化する。ここで、方向ｄ１は、既に収納されている第１通帳８０ａの通帳段差ｇ１に向かう方向ｄ２とは異なる方向である。したがって、図１２に示すように、第２通帳８０ｂが更に搬送された場合に、第２通帳８０ｂの先端部ｔ２は、第１通帳８０ａの通帳段差ｇ１には衝突せず、第１通帳８０ａの先端部ｔ１側のページの上に着地する。
【００５３】
図１３に示すように、第２通帳８０ｂがさらに搬送される（落下する）と、第２通帳８０ｂは、第１通帳８０ａに重なるように収納部Ｓｍに配置されて、第２通帳８０ｂの収納は完了する。このとき、第２通帳８０ｂの先端部ｔ２側のページは、第２アーム部１２ｂにより押さえ付けられる。一方、第２通帳８０ｂの後端部ｔ２１側のページは、第１通帳８０ａの後端部ｔ１１側のページの上に配置され、第１アーム部１２ａによって押さえ付けられる。
【００５４】
図１４は、第１の比較例の通帳収納装置を模式的に示す断面図である。第１の比較例の通帳収納装置３００は、従来における通帳収納装置であり、収納庫３１０と、搬送ローラー３２１とを備えている。収納庫３１０は、搬送路３４１と接続されている。
【００５５】
第１の比較例の通帳収納装置３００では、搬送路３４１を搬送されてきた通帳（取り忘れられた通帳）８０は、搬送ローラー３２１により、収納庫３１０の内部に搬送される。収納庫３１０の内部に搬送された通帳８０は、収納庫３１０内を重力に従って自由落下し、収納庫３１０の底に堆積される。このように、通帳８０は、収納庫３１０内を自由落下して収納されるので、図１４に示すように、収納庫３１０内にランダムに堆積される。したがって、収納庫３１０の高さ方向の寸法は、多数の通帳８０を収納するために非常に長く構成され、通帳収納装置３００全体の大きさは非常に大きい。
【００５６】
図１５は、第２の比較例の通帳収納装置を模式的に示す断面図である。第２の比較例の通帳収納装置４００は、従来における通帳収納装置であり、搬送路４４１と、収納庫４１０と、２つの搬送ローラー４２１，４２２と、２つのアーム部２２ａ，２２ｂとを備えている。搬送路４４１は、カーブＲ１を有しており、カーブＲ１の下流において収納庫４１０と接続されている。２つのローラー４２１，４２２は搬送路４４１に配置され、通帳を搬送する。２つのアーム部２２ａ，２２ｂは、第１の実施例における２つのアーム部１２ａ，１２ｂと同じであるので、説明を省略する。
【００５７】
通帳収納装置４００では、搬送ローラー４２１によりカーブＲ１に搬送された通帳は、カーブＲ１において反転され、印字面が下向きとなる。搬送ローラー４２２は、印字面が下向きとなった通帳を収納庫４１０内に搬送する。収納庫４１０に搬送された通帳は、２つのアーム部２２ａ，２２ｂにより、表紙面を押さえつけられ、綴じ目から開いた状態を維持されて、収納庫４１０の底面Ｓ１０に収納される。このとき、新たに収納される通帳は、垂直方向から見た綴じ目の位置が、既に収納されている通帳の綴じ目の位置に一致するように重ねられて収納される。図１５の例では、第３通帳８０ｃが既に収納されており、第４通帳８０ｄが第３通帳８０ｃに重なるように収納される途中であり、第５通帳８０ｅが搬送路４１１を搬送されている状態を表わしている。
【００５８】
図１５に示すように、第４通帳８０ｄの先端部ｔ３側のページは、アーム部２２ａに押さえ付けられて第３通帳８０ｃの表紙面上をスライドするように搬送される。ここで、第３通帳８０ｃの表紙面には、背山８１が形成されているため、第４通帳８０ｄの先端部ｔ３は、背山８１に当たってしまう。この場合、第４通帳８０ｄは、本来収納されるべき位置（第３通帳８０ｃの上方）には収納されず、図１５に示す状態のままで収納される。したがって、その後に搬送される第５通帳８０ｅは、第４通帳８０ｄが障害となり、正常に収納されないおそれがある。なお、仮に、通帳収納装置４００において、通帳を反転させずに、印字面を上向きにして収納する構成を採用した場合、既に収納されている通帳の通帳段差に、新たに収納される通帳の先端部が当たるおそれがある。この構成においても、上述した印字面を下向きに搬送する場合と同様に、新たに収納される通帳が正常に収納されないおそれがある。
【００５９】
以上説明した第１，２の比較例の通帳収納装置３００，４００に対し、第１の実施例の通帳収納装置１０は、収納庫１８内に配置された案内部１１によって、収納庫１８内に搬送されてきた第２通帳８０ｂの搬送方向を、既に収納されている第１通帳８０ａの通帳段差ｇ１に向かう方向とは異なる方向に導くように構成されている。したがって、第２通帳８０ｂが第１通帳８０ａの通帳段差ｇ１に衝突することによる第２通帳８０ｂの収納異常の発生を抑制することができる。加えて、収納庫１８は、複数の通帳を収納する場合に、垂直方向から見た各通帳の綴じ目の位置が一致するように重ねて収納するので、収納庫１８の高さ方向の長さを短く構成することができ、通帳収納装置１０の小型化を実現できる。
【００６０】
また、２つのアーム部１２ａ，１２ｂにより、収納庫１８内を搬送される通帳の姿勢を、開いた状態に維持させることができるので、搬送途中において通帳が閉じてしまうことによる収納異常の発生を抑制できる。また、第１アーム部１２ａにより、収納済みの第１通帳８０ａの後端部ｔ１１側のページを、案内部１１の斜面ＳＬの表面に沿って配置できるので、後続の第２通帳８０ｂを第１通帳８０ａの上に着地させることができる。したがって、第２通帳８０ｂの先端部ｔ２が第１通帳８０ａの後端部ｔ１１に衝突してしまう、或いは、先端部ｔ２が第１通帳８０ａの下に入り込むことを抑制できるので、収納された順に、下から上へと通帳を積層して正常に収納することができる。
【００６１】
また、案内部１１は、斜面ＳＬを有する山状の外観形状を有し、斜面ＳＬにおいて通帳と接触するので、斜面ＳＬの傾斜を利用して通帳の搬送方向を制御することができる。
【００６２】
Ｂ．第２の実施例：
図１６は、第２の実施例の通帳収納装置の詳細構成を示す断面図である。第２の実施例の通帳収納装置１０ａは、案内部１１ａが上下に変位可能に構成されている点と、第１のアクチュエータ１９ａを備える点とにおいて、図３に示す通帳収納装置１０と異なり、他の構成は、第１の実施例と同じである。
【００６３】
第１の実施例では、案内部１１は、収納庫１８の内部底面Ｓ１に固定配置されていたが、第２の実施例では、案内部１１ａは、上下（垂直方向）に変位可能に構成されている。図１６では、実線で示す最も上方に変位した場合の案内部１１ａの配置位置と、破線で示す最も下方に変位した場合の案内部１１ａの配置位置とを示している。最も下方に変位した場合には、案内部１１ａは、収納庫１８内に突出（露出）しておらず、底面Ｓ１はフラットな状態となる。第１のアクチュエータ１９ａは、案内部１１ａを上下に変位させる。
【００６４】
第１のアクチュエータ１９ａは、案内部１１ａを、新たな通帳の収納（搬送）が無い場合には最も下方に位置させ、新たな通帳の収納（搬送）が実行される際には最も上方に位置させる。このような案内部１１ａの変位は、以下の理由による。新たな通帳の収納が実行される際には、案内部１１ａを最も上方に位置させることにより、第１の実施例と同様にして、新たな通帳の収納異常の発生を抑制できるからである。一方、新たな通帳の収納が無い場合には、案内部１１ａを最も下方に位置させることにより、収納済みの通帳の後端部側のページが、案内部１１ａにより曲げられた状態に維持されることを抑制し、収納済みの通帳の折れや曲がりの発生を抑制できるからである。
【００６５】
以上の構成を有する第２の実施例の通帳収納装置１０ａは、第１の実施例の通帳収納装置１０と同じ効果を有する。加えて、新たな通帳の収納が無い場合には、案内部１１ａを最も下方に位置させて収納庫１８内に突出させないようにするので、案内部１１ａによる収納済みの通帳の折れや曲がりを抑制することができる。なお、前述の第１のアクチュエータ１９ａは、請求項における長さ調整部に相当する。
【００６６】
Ｃ．第３の実施例：
図１７は、第３の実施例の通帳収納装置の詳細構成を示す断面図である。第３の実施例の通帳収納装置１０ｂは、案内部１１ｂが左右に変位可能に構成されている点と、第２のアクチュエータ１９ｂを備える点とにおいて、図３に示す通帳収納装置１０と異なり、他の構成は、第１の実施例と同じである。
【００６７】
第１の実施例では、案内部１１は、収納庫１８の内部底面Ｓ１に固定配置されていたが、第３の実施例では、案内部１１ｂは、左右（水平方向）に変位可能に構成されている。図１７では、実線で示す最も右に変位した場合の案内部１１ｂの配置位置と、破線で示す最も左に変位した場合の案内部１１ｂの配置位置を示している。第２のアクチュエータ１９ｂは、案内部１１ｂを左右に変位（スライド）させる。
【００６８】
通帳収納装置１０ｂでは、案内部１１ｂの配置位置を、通帳収納装置１０が取り扱う通帳の大きさに応じて変位させるように構成されている。具体的には、第２のアクチュエータ１９ｂは、通帳のサイズが大きい場合には案内部１１ｂを左側に位置させ、通帳のサイズが小さい場合には案内部１１ｂを右側に位置させる。このような案内部１１ｂの変位は、以下の理由による。通帳のサイズが大きい場合には、案内部１１ｂを左側に位置させることにより、収納済みの通帳の後端側のページが、案内部１１ｂの斜面ＳＬを越えて底面Ｓ１に達してしまい、斜面ＳＬと底面Ｓ１との境界部分において通帳の曲がりが生じることを抑制できるからである。一方、通帳のサイズが小さい場合には、案内部１１ｂを右側に位置させることにより、収納済みの通帳の後端が、斜面ＳＬ上において第１アーム部１２ａの先端よりも案内部１１ｂの頂側に位置してしまい、通帳の後端側のページが第１アーム部１２ａにより押さえつけられず、斜面ＳＬから浮いてしまうことを抑制できるからである。収納済みの通帳の後端側のページが斜面ＳＬから浮いてしまった場合、後続の通帳が、この収納済みの通帳の下に入り込んでしまい、収納異常が発生するおそれがある。
【００６９】
案内部１１ｂの配置位置は、予め保守者等が、通帳収納装置１０において取り扱われる通帳のサイズに応じて、第２のアクチュエータ１９ｂを制御して設定することができる。なお、通帳のサイズは、例えば、現金自動預け払い機２００が使用される国によって異なり得る。
【００７０】
以上の構成を有する第３の実施例の通帳収納装置１０ｂは、第１の実施例の通帳収納装置１０と同じ効果を奏する。加えて、大きなサイズの通帳を収納する場合には、案内部１１ｂを左側に位置させることにより、収納済みの通帳の曲がりを抑制できる。また、小さなサイズの通帳を収納する場合には、案内部１１ｂを右側に位置させることにより、新たに収納しようとする通帳が収納済みの通帳の下に入り込むことによる収納異常の発生を抑制できる。なお、前述の第２のアクチュエータ１９ｂは、請求項における位置調整部に相当する。
【００７１】
Ｄ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００７２】
Ｄ１．変形例１：
各実施例では、通帳は、収納庫１８内において印字面Ｓｂを上向きにして（表紙面Ｓａを下向きにして）収納されていたが、これに代えて、第２の比較例と同様に、印字面Ｓｂを下向きにして収納することもできる。この構成においても、第２通帳８０ｂの搬送方向は、案内部１１，１１ａ，１１ｂにより、既に収納されている第１通帳８０ａの背山８１に向かう方向とは異なる方向に導かれるので、第２通帳８０ｂの先端部ｔ２が第１通帳８０ａの背山８１に衝突することによる第２通帳８０ｂの収納異常を抑制することができる。なお、この構成において、背山は、請求項における突状部に相当する。すなわち、一般には、収納庫の内部を搬送される第１の通帳の搬送方向を、第２の通帳が開いたときに形成される第２の通帳の突状部に向かう方向とは異なる方向に導くための案内部を、本発明の通帳収納装置に採用することができる。
【００７３】
Ｄ２．変形例２：
各実施例では、案内部１１，１１ａ，１１ｂは、底面Ｓ１から突出した構成を有していたが、これに代えて、底面Ｓ１から離れて配置することもできる。具体的には、例えば、各実施例の１１，１１ａ，１１ｂと同じ断面形状を有する柱状の部材を、底面Ｓ１から所定の距離だけ離して配置することもできる。この構成では、柱状部材の端面を、収納庫１８の内部側面に固定することにより、柱状部材の位置を固定することができる。
【００７４】
また、案内部１１，１１ａ，１１ｂの断面形状（収納庫１８内を搬送される通帳の搬送方向と垂直な方向から見た断面形状）は、斜面ＳＬを有する山形形状であったが、これに代えて、円形や、楕円形など他の形状とすることもできる。
【００７５】
Ｄ３．変形例３：
各実施例では、第１アーム部１２ａは、収納済みの通帳の後端部側のページと接触して押さえ付けていたが、これに代えて、収納済みの後端部側のページと接触しない構成とすることもできる。この構成においても、収納庫１８内を搬送される通帳と接することにより、通帳の姿勢を、綴じ目から開いた状態を維持させることができ、搬送途中で通帳が閉じてしまうことによる通帳の収納異常を抑制できる。また、２つのアーム部１２ａ，１２ｂの少なくとも一方を省略することもできる。例えば、取り扱う通帳が開いた状態を維持し易い構成の通帳であれば、これら２つのアーム部１２ａ，１２ｂをいずれも省略することもできる。このような構成においても、収納庫１８内を搬送される第２通帳８０ｂは、案内部１１，１１ａ，１１ｂにより搬送方向を制御されるので、収納異常の発生を抑制できる。なお、この構成においては、落とし込みローラー１４が、請求項における通帳搬送部に相当する。
【００７６】
Ｄ４．変形例４：
各実施例では、収納済みの通帳の後端部側のページは、案内部１１，１１ａ，１１ｂの頂を越えて、斜面ＳＬの表面に沿って配置されていたが、本発明はこれに限定されるものではない。具体的には、例えば、通帳の全ての部分が、収納部Ｓｍに配置されるように通帳を収納することもできる。この構成においても、新たに収納される通帳の搬送方向を、案内部１１，１１ａ，１１ｂにより、収納済みの通帳の通帳段差に向かう方向とは異なる方向に導くことができるので、新たに収納しようとする通帳が、収納済みの通帳の通帳段差に当たってしまうことを抑制できる。すなわち、一般には、第２の通帳の少なくとも一部を収納する収容部を、本発明の通帳収納装置に採用することができる。
【００７７】
Ｄ５．変形例５：
各実施例では、収納庫１８内を搬送される通帳は、搬送途中において落とし込みローラー１４から離れていたが、これに代えて、収納されるべき位置に搬送されるまで落とし込みローラー１４から離れないようにすることもできる。このような構成により、新たに収納する通帳を、収納すべき位置（垂直方向から見て、新たに収納される通帳の綴じ目の位置が既に収納されている通帳の閉じ目の位置と一致する位置）に確実に配置させることができる。
【００７８】
Ｄ６．変形例６：
第２の実施例では、案内部１１ａは、新たな通帳の収納（搬送）の有無に応じて変位されていたが、本発明はこれに限定されるものではない。例えば、収納済みの通帳の数に応じて案内部１１ａを変位させることもできる。具体的には、収納済みの通帳の数が増えるに従い、案内部１１ａを上方に変位させることもできる。収納済みの通帳の数が増えるに従って、最上段に収納されている通帳の通帳段差の位置は上方に移動することとなる。したがって、収納済みの通帳の数が増えるに従って、案内部１１ａを上方に変位させることにより、新たに収納する通帳が、収納済みの通帳の通帳段差に確実に衝突しないようにすることができる。この構成では、収納済みの通帳の数や、収納済みの通帳群の高さを検知する機能部を備えると共に、第１のアクチュエータ１９ａが案内部１１ａを連続的に又は段階的に変位させることが好ましい。
【００７９】
また、案内部１１ａの変位のタイミングを第２の実施例とは若干異ならせることにより、収納される第２通帳８０ｂにおいて案内部１１ａと接触する部分を、先端部ｔ２とは異なる他の部分とすることもできる。具体的には、第２通帳８０ｂの収納が開始されてしばらくは、案内部１１ａを低い位置に配置しておき、第２通帳８０ｂの先端部が、案内部１１ａの頂の上方を越えた後に、案内部１１ａを最も上方に変位させることもできる。この構成では、案内部１１ａの頂は、第２通帳８０ｂの先端部ｔ２とは異なる部分に接触して、第２通帳８０ｂの搬送方向を変える。
【００８０】
Ｄ７．変形例７：
第２の実施例では、案内部１１ａを上下に変位させることにより、案内部１１ａの底面Ｓ１からの突出方向の長さを調整していたが、本発明はこれに限定されるものではない。例えば、案内部を、２つの斜面を構成する２つの板状部材を頂部分において回動可能に接合して構成し、底面Ｓ１におけるこれら２つの板状部材間の距離を狭める又は拡げることにより、２つの板状部材の少なくとも一方の斜面の傾斜角度を変化させて、案内部の底面Ｓ１からの突出方向の長さを調整することもできる。すなわち、一般には、任意の方法により案内部の内側面からの突出方向の長さを調整する長さ調整部を、本発明の通帳収納装置に採用することができる。
【００８１】
Ｄ８．変形例８：
各実施例では、通帳収納装置１０，１０ａ，１０ｂは、現金自動預け払い機２００に搭載されていたが、本発明はこれに限定されるものではない。例えば、通帳記帳の専用機に搭載することもできる。また、通帳発行の専用機に搭載することもできる。また、このように他の装置に搭載されることに代えて、通帳を収納するための専用機として構成することもできる。また、本実施例では、通帳収納装置は、利用者が取り忘れた新規発行の通帳を収納する目的であったが、本発明はこれに限定されるものではない。通帳が新規に発行されない場合であっても、通帳挿入口２０から排出された印字後の通帳が利用者により取り忘れられた場合に、かかる取り忘れられた通帳を収納することもできる。すなわち、一般には、任意の目的で通帳を収納する通帳収納装置を、本発明の通帳収納装置として採用することができる。
【符号の説明】
【００８２】
１０，１０ａ，１０ｂ…通帳収納装置、１１，１１ａ，１１ｂ…案内部、１２ａ…第１アーム部、１２ｂ…第２アーム部、１３ａ，１３ｂ…軸、１４…落とし込みローラー、１８…収納庫、１９ａ…第１のアクチュエータ、１９ｂ…第２のアクチュエータ、２０…通帳挿入口、２１ａ〜２１ｈ…搬送ローラー、２２…磁気データ読み書き部、２２ａ…第１アーム部、２２ｂ…第２アーム部、２３…印字部、２４…ゲート、２５…光学読み取り部、２６…頁替え部、２７…ピックアップローラー、３０…通帳発行部、４１…第１搬送路、４２…第２搬送路、４３…第３搬送路、８０…通帳、８０ａ…第１通帳、８０ｂ…第２通帳、８０ｃ…第３通帳、８０ｄ…第４通帳、８０ｅ…第５通帳、８０ｚ…通帳群、８１…背山、８２…綴じ目、８３…磁気ストライプ、８４…先端部分、１００…通帳処理部、２００…現金自動預け払い機、２１０…前面部、２２０…カード挿入口、２３０…硬貨投入口、２４０…利用者操作部、３００…通帳収納装置、３１０…収納庫、３２１…搬送ローラー、３４１…搬送路、４００…通帳収納装置、４１０…収納庫、４１１…搬送路、４２１，４２２…搬送ローラー、４４１…搬送路、ｄ０〜ｄ２…方向、Ｓ１，Ｓ１０…底面、ｔ１〜ｔ３…先端部、ｇ，ｇ１…通帳段差、Ｒ１…カーブ、ＳＬ…斜面、Ｓａ…表紙面、Ｓｂ…印字面、ｔ１１，ｔ２１…後端部
【図１】
0005512236.tif 000002
【図２】
0005512236.tif 000003
【図３】
0005512236.tif 000004
【図４】
0005512236.tif 000005
【図５】
0005512236.tif 000006
【図６】
0005512236.tif 000007
【図７】
0005512236.tif 000008
【図８】
0005512236.tif 000009
【図９】
0005512236.tif 000010
【図１０】
0005512236.tif 000011
【図１１】
0005512236.tif 000012
【図１２】
0005512236.tif 000013
【図１３】
0005512236.tif 000014
【図１４】
0005512236.tif 000015
【図１５】
0005512236.tif 000016
【図１６】
0005512236.tif 000017
【図１７】
0005512236.tif 000018